(57)【特許請求の範囲】
【請求項１】
吸入した空気を第１の吹き出し口と第２の吹き出し口から排出する空気調和機の室内ユニットにおいて、
それぞれ異なるとともに異なる回転数にすることが可能な第１のファン、第２のファンと、
それぞれ異なる前記第１の吹き出し口、第２の吹き出し口と、
それぞれ異なる第１の熱交換部、第２の熱交換部と、
それぞれ異なる第１の吸入口、第２の吸入口とを有し、
前記第１の熱交換部は前記第１の吸入口から吸入された空気を熱交換し、
前記第２の熱交換部は前記第２の吸入口から吸入された空気を熱交換し、
前記第１のファンは、前記第１の吸入口から吸入され、前記第１の熱交換部が熱交換した空気を前記第１の吹き出し口へ送り
前記第１のファンよりも回転数が低い前記第２のファンは、前記第１の吸入口から吸入され、前記第１の熱交換部が熱交換した空気を前記第２の吹き出し口へ送り、かつ前記第２の吸入口から吸入され、前記第２の熱交換部が熱交換した空気を前記第２の吹き出し口へ送る、
ことを特徴とする空気調和機の室内ユニット。
【請求項２】
前記空気調和機の室内ユニットは、
前記第１及び第２の熱交換部とは異なる第３の熱交換部と、
前記第１及び第２の吸入口とは異なる第３の吸入口とを有し、
前記第３の熱交換部は前記第３の吸入口から吸入された空気を熱交換し、
前記第１のファンは、前記第３の吸入口から吸入され、前記第３の熱交換部が熱交換した空気を前記第１の吹き出し口へ送る、
ことを特徴とする請求項１に記載の空気調和機の室内ユニット。
【請求項３】
前記第１、第２及び第３の吸入口と前記第１及び第２の吹き出し口は前記空気調和機の室内ユニットの同一側面に並列に設けられ、
前記第１の吸入口は、前記第１の吹き出し口と第２の吹き出し口の間に設けられ、
前記第２の吸入口は、前記第１の吸入口と第２の吹き出し口の間に設けられ、
前記第３の吸入口は、前記第１の吸入口と第１の吹き出し口の間に設けられたことを特徴とする、請求項２に記載の空気調和機の室内ユニット。
【請求項４】
前記第１の熱交換部は第４及び第５の熱交換部を有し、
前記第１及び第２のファンは横流ファンであり、
前記第２の熱交換部は、前記第２の吸入口に近い吸入口側端部と、その反対側で前記第２の吸入口から遠い反対側端部を有し、
前記第３の熱交換部は、前記第３の吸入口に近い吸入口側端部と、その反対側で前記第３の吸入口から遠い反対側端部を有し、
前記第４の熱交換部は、前記第１の吸入口に近い吸入口側端部と、その反対側で前記第１の吸入口から遠い反対側端部を有し、
前記第５の熱交換部は、前記第１の吸入口に近い吸入口側端部と、その反対側で前記第１の吸入口から遠い反対側端部を有し、
前記第３の熱交換部の吸入口側端部と前記第４の熱交換部の吸入口側端部との距離は、前記第３の熱交換部の反対側端部と前記第４の熱交換部の反対側端部との距離よりも小さく、
前記第２の熱交換部の吸入口側端部と前記第５の熱交換部の吸入口側端部との距離は、前記第２の熱交換部の反対側端部と前記第５の熱交換部の反対側端部との距離よりも小さいことを特徴とする、
請求項２もしくは３に記載の空気調和機の室内ユニット。
【請求項５】
前記第１の吹き出し口より吹き出される風量と前記第２の吹き出し口より吹き出される風量とは異なることを特徴とする請求項１、２、３もしくは４に記載の空気調和機の室内ユニット。
【請求項６】
前記第１のファンの径と前記第２のファンの径とは異なることを特徴とする請求項５に記載の空気調和機の室内ユニット。
【請求項７】
前記第１の熱交換部は第４及び第５の熱交換部を有し、
前記第１のファンは、前記第４の熱交換部により熱交換された空気を前記第１の吹き出し口に送り、
前記第２のファンは、前記第５の熱交換部により熱交換された空気を前記第２の吹き出し口に送り、
前記第３及び第４の熱交換部の熱交換面積の和は、前記第２及び第５の熱交換部の熱交換面積の和とは異なることを特徴とする請求項２、３、４、５もしくは６に記載の空気調和機の室内ユニット。
【請求項８】
前記空気調和機の室内ユニットは、第１の風路と当該第１の風路とは異なる第２の風路を有し、
前記第１の吸入口から吸入された空気は、前記第１の風路を通って前記第１のファンに送られ、前記第２の風路を通って前記第２のファンに送られることを特徴とする請求項１、２、３、４、５、６又は７に記載の空気調和機の室内ユニット。
【発明の詳細な説明】
【０００１】
【発明の属する技術分野】
この発明は、吸い込んだ室内の空気を熱交換して吹き出す空気調和機の室内ユニットに関するものであり、特に、吹き出し口を２つ有する、２方向吹出しの空気調和機の室内ユニットに関するものである。
【０００２】
【従来の技術】
図８は、従来の技術における、２方向吹出しの天井埋込み型空気調和機の室内ユニットの構成を示した構成図である。図８において、１は室内ユニットを囲う外郭部材、３、４は熱交換器、６、７は横流ファン、１０、１１は熱交換器を支持し流れ落ちる凝縮水を受けるドレンパン、１３は室内空気を吸い込む吸入口、１５、１６は熱交換した調整空気を吹き出す吹き出し口、１８は吸い込み風路、２０、２１は吹き出し風路である。室内ユニットは横流ファン６、７に対して、熱交換器３、４を一つずつ配置している。
【０００３】
動作を説明する。横流ファン６は反時計回りに、横流ファン７は時計回りに回転する。室内ユニットでは吸入口１３から室内空気を吸込み、左右に設置されている熱交換器３、４にて冷却、若しくは加熱され、吹き出し口１５、１６より調和空気を室内に吹出す。
【０００４】
【発明が解決しようとする課題】
２方向吹出しの天井埋込み型空気調和機の室内ユニットにおいては、部屋をゾーンに分けて空調する場合に、２つのファンの回転数を変えることで左右の吹出し口からの風量を変化させ、一方の風量を他方の風量よりも多くすることが行われている。一方、従来の２方向吹出しの天井埋込み型空気調和機の室内ユニットでは、二つの吹き出し口１５、１６から吹出される調和空気は、共通の一つの吸入口１３から吸入されていた。そのため、共通の吸入口から吸い込まれた空気は、回転数の高い方のファンに集まってしまい、回転数の低い方への空気が十分に流入せず、回転数の低いファンからの吹き出される風量を十分に確保できないため、空気調和機の熱交換性能を悪化させるという問題があった。
この発明は、以上のような問題を解決するためになされたもので、室内の条件に応じて効率的に室内の空調を行う室内ユニットを得ることを目的とする。
【０００５】
【課題を解決するための手段】
第１の発明に係る空気調和機の室内ユニットは、吸入した空気を第１の吹き出し口と第２の吹き出し口から排出する空気調和機の室内ユニットにおいて、それぞれ異なるとともに異なる回転数にすることが可能な第１のファン、第２のファンと、それぞれ異なる前記第１の吹き出し口、第２の吹き出し口と、それぞれ異なる第１の熱交換部、第２の熱交換部と、それぞれ異なる第１の吸入口、第２の吸入口とを有し、前記第１の熱交換部は前記第１の吸入口から吸入された空気を熱交換し、前記第２の熱交換部は前記第２の吸入口から吸入された空気を熱交換し、前記第１のファンは、前記第１の吸入口から吸入され、前記第１の熱交換部が熱交換した空気を前記第１の吹き出し口へ送り前記第１のファンよりも回転数が低い前記第２のファンは、前記第１の吸入口から吸入され、前記第１の熱交換部が熱交換した空気を前記第２の吹き出し口へ送り、かつ前記第２の吸入口から吸入され、前記第２の熱交換部が熱交換した空気を前記第２の吹き出し口へ送る、ことを特徴とするものである。
【０００６】
第２の発明に係る空気調和機の室内ユニットは、第１の発明に係る空気調和機の室内ユニットにおいて、前記第１及び第２の熱交換部とは異なる第３の熱交換部と、前記第１及び第２の吸入口とは異なる第３の吸入口とを有し、前記第３の熱交換部は前記第３の吸入口から吸入された空気を熱交換し、前記第１のファンは、前記第３の吸入口から吸入され、前記第３の熱交換部が熱交換した空気を前記第１の吹き出し口へ送ることを特徴とするものである。
【０００７】
第３の発明に係る空気調和機の室内ユニットは、第２の発明に係る空気調和機の室内ユニットにおいて、前記第１、第２及び第３の吸入口と前記第１及び第２の吹き出し口は前記空気調和機の室内ユニットの同一側面に並列に設けられ、前記第１の吸入口は、前記第１の吹き出し口と第２の吹き出し口の間に設けられ、前記第２の吸入口は、前記第１の吸入口と第２の吹き出し口の間に設けられ、前記第３の吸入口は、前記第１の吸入口と第１の吹き出し口の間に設けられたことを特徴とするものである。
【０００８】
第４の発明に係る空気調和機の室内ユニットは、第２もしくは第３の発明に係る空気調和機の室内ユニットにおいて、前記第１の熱交換部は第４及び第５の熱交換部を有し、前記第１及び第２のファンは横流ファンであり、前記第２の熱交換部は、前記第２の吸入口に近い吸入口側端部と、その反対側で前記第２の吸入口から遠い反対側端部を有し、前記第３の熱交換部は、前記第３の吸入口に近い吸入口側端部と、その反対側で前記第３の吸入口から遠い反対側端部を有し、前記第４の熱交換部は、前記第１の吸入口に近い吸入口側端部と、その反対側で前記第１の吸入口から遠い反対側端部を有し、前記第５の熱交換部は、前記第１の吸入口に近い吸入口側端部と、その反対側で前記第１の吸入口から遠い反対側端部を有し、前記第３の熱交換部の吸入口側端部と前記第４の熱交換部の吸入口側端部との距離は、前記第３の熱交換部の反対側端部と前記第４の熱交換部の反対側端部との距離よりも小さく、前記第２の熱交換部の吸入口側端部と前記第５の熱交換部の吸入口側端部との距離は、前記第２の熱交換部の反対側端部と前記第５の熱交換部の反対側端部との距離よりも小さいことを特徴とするものである。
【０００９】
第５の発明に係る空気調和機の室内ユニットは、第１、第２、第３又は第４の発明に係る空気調和機の室内ユニットにおいて、前記第１の吹き出し口より吹き出される風量と前記第２の吹き出し口より吹き出される風量とは異なることを特徴とするものである。
【００１０】
第６の発明に係る空気調和機の室内ユニットは、前記第５の発明に係る空気調和機の室内ユニットにおいて、前記第１のファンの径と前記第２のファンの径とは異なることを特徴とするものである。
【００１１】
第７の発明に係る空気調和機の室内ユニットは、第２、第３、第４、第５又は第６の発明に係る空気調和機の室内ユニットにおいて、前記第１の熱交換部は第４及び第５の熱交換部を有し、前記第１のファンは、前記第４の熱交換部により熱交換された空気を前記第１の吹き出し口に送り、前記第２のファンは、前記第５の熱交換部により熱交換された空気を前記第２の吹き出し口に送り、前記第３及び第４の熱交換部の熱交換面積の和は、前記第２及び第５の熱交換部の熱交換面積の和とは異なることを特徴とするものである。
【００１２】
第８の発明に係る空気調和機の室内ユニットは、第１、第２、第３、第４、第５、第６又は第７の発明に係る空気調和機の室内ユニットにおいて、前記空気調和機の室内ユニットは、第１の風路と当該第１の風路とは異なる第２の風路を有し、前記第１の吸入口から吸入された空気は、前記第１の風路を通って前記第１のファンに送られ、前記第２の風路を通って前記第２のファンに送られることを特徴とするものである。
【００１３】
【発明の実施の形態】
実施の形態１．
図１はこの発明の一実施の形態である、天井埋込み型空気調和機の室内ユニットの概略を示す構成図である。図は横流ファンの回転軸に垂直な面での断面図である。室内ユニットは下部開口の箱状の外殻部材１を有し、外殻部材１は全体を板材と断熱材との積層構造体により構成されている。
外殻部材１内には室内空気を熱交換する平板状の熱交換器２、３、４、５が設けられている。
【００１４】
これらの熱交換器は、断面において、相互に屈折して配置され、Ｗ字状に配置されている。熱交換器２、３と熱交換器４、５のＶ字形の配置部間には、円筒状の横流ファン６、７がそれぞれ配置されており、横流ファン６、７は両側をそれぞれ熱交換器２、３と熱交換器４、５に挟まれて室内ユニットに配置されている。熱交換器２、３と熱交換器４、５は、横流ファン６、７の間の中心面に関して対称に配置されている。８、９は、熱交換器を指示するスタビライザであり、１０、１１は熱交換器を支持すると同時に、熱交換器から流れ落ちる凝縮水を受けるドレンパンである。
【００１５】
上記の熱交換器は、各々の熱交換器の一側面が、それぞれファンに対向するファン対向面を形成する。３１〜３４は、各熱交換器２〜５のファン対向面である。各熱交換器２〜５は、ドレンパン１０、１１により支持されれた吸入口側に近い吸入口側端部３５、３７、３９、４１と、その反対側で吸入口側より遠く、外郭部材１もしくはスタビライザ８、９により支持されれる反対側端部３６、３８、４０、４２をそれぞれ有している。熱交換器２の吸入口側端部３１と熱交換器３の吸入口側端部３７との距離は、熱交換器２の反対側端部３６と熱交換器３の反対側端部３８との距離よりも近い。
【００１６】
又、熱交換器４の吸入口側端部３９と熱交換器５の吸入口側端部４１との距離は、熱交換器４の反対側端部４０と熱交換器５の反対側端部４２との距離よりも近く配置されている。又、熱交換器３の吸入口側端部３７と熱交換器４の吸入口側端部３９との距離は、熱交換器３の反対側端部３８と熱交換器４の反対側端部４０との距離よりも遠く配置されている。
スタビライザー８は熱交換器２の反対側端部３６を支持すると同時に、室内空気の風路１７と調和空気の風路２０を区画している。スタビライザー９は熱交換器５の反対側端部４２を支持すると同時に、室内空気の風路１９と調和空気の風路２１を区画している。風路とは空気が流れる空間を言う。
【００１７】
ドレンパン１０とスタビライザー８にて室内は、室内空気を吸い込む吸入口１２を区画する吸入口１２の端部を構成し、ドレンパン１０とドレンパン１１は室内より室内空気を吸い込む吸入口１３を区画する吸入口１３の端部を構成する。又、ドレンパン１１とスタビライザー９は室内より室内空気を吸い込む吸入口１４を区画する吸入口１４の端部を構成する。
外殻部材１とスタビライザー８は、調和空気を室内に吹き出す吹き出し口１５を区画する出す吹き出し口１５の端部を構成し、外殻部材１とスタビライザー９は、調和空気を室内に吹き出す吹き出し口１６を区画する吹き出し口１６の端部を構成している。各吹き出し口と吸入口は、室内ユニットの一側面であって、室内に向けられた室内側側面に設けられいる。
【００１８】
動作について説明する。図１において、横流ファン６は反時計廻り方向へ、横流ファン７は時計廻り方向へそれぞれ回転駆動して、熱交換器から受けた調和空気を吹き出し口に送出する。
横流ファン６の回転により吸入口１２から吸い込まれた室内空気は、風路１７を通り、熱交換器２にて冷却若しくは加熱され、調和空気の風路２０を通り、吹き出し口１５より調和空気として室内に吹出される。同様に、横流ファン６の回転により、吸入口１３から吸い込まれた室内空気は、風路１８を通り、熱交換器３にて冷却若しくは加熱され、調和空気の風路２０を通り、吹き出し口１５より室内に吹出される。
【００１９】
一方、横流ファン７の回転により、吸入口１４から吸い込まれた室内空気は、風路１９を通り、熱交換器５にて冷却若しくは加熱され、調和空気の風路２１を通り、吹き出し口１６より調和空気を室内に吹出される。同様に、横流ファン７の回転により、吸入口１３から吸い込まれた室内空気は、風路１８を通り、熱交換器４にて冷却若しくは加熱され、調和空気の風路２１を通り、吹き出し口１５より調和空気を室内に吹出される。
【００２０】
以上のように、本実施の形態においては、３つの吸入口それぞれに対応した熱交換器が設けられ、それぞれの熱交換器のファンに対するファン対向面が相互に屈折して配置されＷ字形を形成しているので、従来の、１つの吸入口に２つの熱交換器を配置した室内ユニットと比較して、熱交換面積を増加することができ、室内ユニットにおける熱交換の大容量化を実現することが可能となる。
又、従来の室内ユニットと同等の能力の室内ユニットを作製する場合に、従来の室内ユニットと同一熱交換面積を得る場合には熱交換器の寸法を短縮することが可能となり、ユニットの小型化を図ることができ、大きな熱交換面積、吸込面積を得つつ、ユニットの小型化を実現できる。
【００２１】
さらに、室内をゾーンに分けて空調する場合等のために、２つのファンの回転数を変えて、２つの吹き出し口からの風量に差を設ける場合、２つのファンに共通の吸入口１３から吸い込まれた空気は、回転数の高い方のファンに集まるが、吸入口１３の他に、各ファンに専用の吸入口１２、１４を設けたので、回転数の低い方のファンにも専用の吸入口から十分な室内空気が送られ、熱交換能力を下げることなく室内の条件に応じて効率的に室内の空調を行うことが可能となる。
【００２２】
尚、この実施の形態において、吸入口１２が第３の吸入口、吸入口１３が第１の吸入口を構成し、吸入口１４が第２の吸入口を構成する。吹き出し口１５が第１の吹き出し口を構成し、吹き出し口１６が第２の吹き出し口を構成する。横流ファン６が第１のファンもしくは横流ファンを構成し、横流ファン７が第２のファン、もしくは横流ファンを構成する。
熱交換器２、５のそれぞれが、第３、第２の熱交換部を構成し、熱交換器３及び４により第１の熱交換部を構成する。さらに、熱交換器３が第４の熱交換部を、熱交換器４が第５の熱交換部を構成する。吸入口側端部３５、３７、３９、４１のそれぞれが、第３、第４、第５、第２の熱交換部の吸入口側端部を構成し、反対側端部３６、３８、４０、４２のそれぞれが、第３、第４、第５、第２のの熱交換部の吸入口側端部を構成する。これらの構成は、一例にすぎないことは言うまでもない。
【００２３】
尚、室内ユニットは天井に埋めこむことなく、天井に据え付けても良いし、壁に設置してもよい。複数の熱交換器を用いて配置するのではなく、一体化されたＷ字状の熱交換器や、２つのＶ字状の熱交換器を用いてもよく、吸入口１３は二つ以上に分割されていてもよい。又、吹き出し口は２以上有するものでもよい。熱交換器は平板状ではなく屈曲したものでもよい。これらの点は以下の実施の形態において同様である。
【００２４】
実施の形態２．
本実施の形態は、実施の形態１において、熱交換器２と吸入口１２を取り除いたものである。図２はこの実施の形態における天井埋込み型空気調和機の室内ユニットの概略を示す構成図である。熱交換器３、４、５のファン対向面を相互に屈折させてをＮ字形に配置し、スタビライザー８と熱交換器３の上方に横流ファン６を、熱交換器４と熱交換器５の上方に横流ファン７を配置している。
熱交換器４の吸入口側端部３９と熱交換器５の吸入口側端部との距離４１は、熱交換器４の反対側端部４０と熱交換器５の反対側端部４２との距離よりも近く配置されている。又、熱交換器３の吸入口側端部３７と熱交換器４の吸入口側端部３９との距離は、熱交換器３の反対側端部３８と熱交換器４の反対側端部４０との距離よりも遠く配置されている。スタビライザー８は熱交換器３の吸入口側端部３７を支持している。他の構成は、図１と同様であり、説明を省略する。動作についても、実施の形態１と略同様であり、説明を省略する。
【００２５】
以上のように、本実施の形態においては、実施の形態１の奏する効果に加え、吸入口１２と熱交換器２を取り除き、熱交換器３、４、５をＮ字形に配置したので、実施の形態１よりも製品寸法を短くすることが可能になり、ユニットのさらなる小型化を図ることができる。また、スタビライザー８が吸込風路を形成していないためスタビライザーに断熱を施すことにより吹出風路の露付を防ぐことができる。
【００２６】
又、本実施の形態における室内ユニットを室内の入り口付近に据付けた場合に、吹き出し口１６を室内の入り口に向けて設置することにより、従来の室内ユニットでは室内外への出入りにより室内温度が変化してしまうが、本形態における室内ユニットでは、温度の低い調和空気を室内出入り口に向けて吹出すことにより室内温度の変化を少なくすることができる。
【００２７】
実施の形態３．
本実施の形態は、実施の形態１において、熱交換器３、４の形状を変えたものである。図３はこの実施の形態における室内ユニットの概略を示す構成図である。熱交換器３、４の相当部は、それぞれ熱交換器３ａ、３ｂ、４ａ、４ｂにより構成されている。熱交換器３ａ、３ｂは、ファンに対向する対向面が相互に屈折して配置され、熱交換器４ａ、４ｂも相互に屈折して配置され、共にくの字状を形成している。
【００２８】
各熱交換器３ａ、３ｂ、４ａ、４ｂは、吸入口に近い吸入口側端部と、その反対側で吸入口側より遠い反対側端部を有している。熱交換器３ａの吸入口側端部と熱交換器３ｂの反対側端部との距離は、熱交換器３ａの反対側端部と熱交換器３ｂの吸入口側端部との距離よりも大きい。又、熱交換器４ａの吸入口側端部と熱交換器４ｂの反対側端部との距離は、熱交換器４ａの反対側端部と熱交換器４ｂの吸入口側端部との距離よりも大きくなるように配置されている。
他の構成及び、動作は実施の形態１における説明と同様であり、説明を省略する。
【００２９】
以上のように、本実施の形態においては、実施の形態１の奏する効果に加え、熱交換器３、４を分割してくの字形に配置することにより実施の形態１の熱交換器３、４より熱交換面積を増やすことができ、吸込風路１８より熱交換器３、４を通過する室内空気の量は実施の形態１よりも大きくなるので、大容量の熱交換器を搭載することができる。
尚、熱交換器２、５を３つ以上に分割することにより、実施の形態１の熱交換器より熱交換面積を増やすことができ、さらに室内ユニットの大容量化を実現できる。また、室内ユニットの構成において、熱交換器３、４、それぞれを２分割以上しても同様の効果を得ることができる。
【００３０】
実施の形態４．
本実施の形態は、実施の形態１において、熱交換器の大きさを変化させたものである。図４はこの実施の形態の室内ユニットの構成を示す構成図である。図において、熱交換器２と熱交換器５は同じ大きさであり、熱交換器３は熱交換器４よりも大きな構成となっている。その他の構成及び動作については実施の形態１と同様であり、説明を省略する。
以上のように、本実施の形態においては、吹き出し口１５に調整空気を送出する熱交換器の熱交換面積が、吹き出し口１６に調整空気を送出する熱交換機の熱交換面積よりも大きいように構成されているので、吹き出し口１５から吹き出される調和空気は吹き出し口１６より吹き出される調和空気よりも冷却され、温度が低くなる。
【００３１】
以上のように、本実施の形態においては、実施の形態１の奏する効果に加え、本実施の形態における室内ユニットを室内の入り口付近に据付けた場合に、吹き出し口１５を室内の入り口に向けて設置することにより、従来の室内ユニットでは室内への出入りにより室内温度が変化してしまうが、本形態における室内ユニットではより冷却された調和空気を室内出入り口に向けて吹出すことにより室内温度の温度むらを少なくすることが可能となる。
【００３２】
尚、吹き出し口１５から吹き出される調和空気が吹き出し口１６より吹き出される調和空気よりも冷却されたもにするには、吸入口の数はいくつでもよく、配置もＷ字状に限らずどのような配置でもよい。また、熱交換器の大きさに差を設けるのではなく、熱交換器の数や、単位熱交換面積あたりの熱交換能力のことなる熱交換器を配置してもよい。さらに、ファンと熱交換機の配置は、ファンの後ろに熱交換機を配置してもよい。つまり、ファンにより送出された空気を熱交換器が熱交換するように配置してもよい。
【００３３】
実施の形態５．
本実施の形態は、実施の形態１において、横流ファン６、７の径を変化させたものである。図５はこの実施の形態に係る室内ユニットの構成図である。図において、横流ファン６の半径よりも横流ファン７の半径の方が大きい構成となっている。その他の構成は実施の形態１の相当部を構成し説明を省略する。
【００３４】
動作について説明する。基本的動作は実施の形態１と同様である。実施の形態１においては風路２０、２１より吐出される調和空気の量が均等に吹き出しているが、実施の形態５において横流ファン６、７の径を変化させることにより、左右の調和空気の吹出量を変化させることができる。
以上のように、本実施の形態においては、横流ファン６の半径よりも横流ファン７の半径の方が大きい構成となっているので、吹き出し口１６からの吹出風量が吹き出し口１５からの吹出風量よりも多い。
【００３５】
これにより、実施の形態１の奏する効果に加え、従来室内の中央部に設置していた室内ユニットを室内中央部以外の場所に設置した場合でも調和空気を実施の形態１よりも遠くへ吹出すことができる。特に、室内の端に設置した場合でも、室内全体をより均一的に調整することが可能となる。
【００３６】
又、２つのファンの径に差を設けて、２つの吹き出し口からの異なる風量の空気を吹き出す場合、２つのファンに共通の吸入口１３から吸い込まれた空気は、径の大きい方のファンに集まるが、吸入口１３の他に、各ファンに専用の吸入口１２、１４を設けたので、径の小さい方のファンにも専用の吸入口から十分な室内空気が送られ、熱交換能力を下げることなく室内の条件に応じて効率的に室内の空調を行うことが可能となる。
【００３７】
尚、本実施の形態では、吹き出し口の風量を変化させることができるが、熱交換器２、３と熱交換器４、５の熱交換面積が同じために風路２０、２１より吐出される調和空気の温度に差が生じ、温度むらが生じてしまう。それを解決するために風路２０、２１より吐出される調和空気の量に応じて熱交換器２、３と熱交換器４、５の大きさを変化させることにより解決することができる。つまり、吹き出し口から吹き出される風量に比例して、熱交換器の大きさを決定する。
【００３８】
２つの吹き出し口から吹き出される風量に、２倍の差がある場合は、熱交換器も２倍の熱交換面積の差を設けることにより、温度むらをほぼ解消することが可能となる。
又、２つの吹き出し口から異なる風量の空気を吹き出すためには、吸入口の数はいくつでもよく、配置もＷ字状に限らずどのような配置でもよい。また、ファンの大きさに差を設けるのではなく、回転速度のことなるファン等を配置してもよい。さらに、ファンと熱交換機の配置は、ファンの後ろに熱交換機を配置してもよい。つまり、ファンにより送出された空気を熱交換器が熱交換するように配置でもよい。
【００３９】
実施の形態６．
本実施の形態は、実施の形態１において、外殻部材１により横流ファン６、７の間に仕切板２２を形成したものである。この仕切板２２により、２つの異なる風路が形成される。吸入口３から吸入された空気は、片方の風路２３を通って横流ファン６へ送られ、もう片方の風路２４を通って横流ファン７に送られる。
実施の形態１と同様に作動させると、仕切板２２により、吸入口３から吸入された室内空気を熱交換器３、４へ均等に通過させることができる。このことより、空気の乱流が生じづらくなり、吸入口３から吸込まれた室内空気を熱交換器３、４へスムーズに誘導することができる。
【００４０】
以上のように、本実施の形態においては、実施の形態１の奏する効果に加え、横流ファン６、７の間に仕切板２２を形成し、それぞれの横流ファンに対応する風路を仕切板２２により形成したので、室内空気を熱交換器３、４にスムーズに誘導することができ、静音化を図ることができる。また、図７に示すように、仕切板形状に湾曲を持たせて風路を形成することにより、室内空気を熱交換器３、４にさらにスムーズに誘導することができ、空気調和機のさらなる静音化を図ることができる。
尚、この実施の形態においては、風路２３、２４がそれぞれ、第１、第２の風路を構成する。
【００４１】
【発明の効果】
第１の発明に係る空気調和機の室内ユニットは、吸入した空気を第１の吹き出し口と第２の吹き出し口から排出する空気調和機の室内ユニットにおいて、それぞれ異なるとともに異なる回転数にすることが可能な第１のファン、第２のファンと、それぞれ異なる前記第１の吹き出し口、第２の吹き出し口と、それぞれ異なる第１の熱交換部、第２の熱交換部と、それぞれ異なる第１の吸入口、第２の吸入口とを有し、前記第１の熱交換部は前記第１の吸入口から吸入された空気を熱交換し、前記第２の熱交換部は前記第２の吸入口から吸入された空気を熱交換し、前記第１のファンは、前記第１の吸入口から吸入され、前記第１の熱交換部が熱交換した空気を前記第１の吹き出し口へ送り前記第１のファンよりも回転数が低い前記第２のファンは、前記第１の吸入口から吸入され、前記第１の熱交換部が熱交換した空気を前記第２の吹き出し口へ送り、かつ前記第２の吸入口から吸入され、前記第２の熱交換部が熱交換した空気を前記第２の吹き出し口へ送る、ことを特徴とするものであるので、室内の条件に応じて効率的に室内の空調を行う室内ユニットを得ることが可能となる。
【００４２】
第２の発明に係る空気調和機の室内ユニットは、第１の発明に係る空気調和機の室内ユニットにおいて、前記第１及び第２の熱交換部とは異なる第３の熱交換部と、前記第１及び第２の吸入口とは異なる第３の吸入口とを有し、前記第３の熱交換部は前記第３の吸入口から吸入された空気を熱交換し、前記第１のファンは、前記第３の吸入口から吸入され、前記第３の熱交換部が熱交換した空気を前記第１の吹き出し口へ送ることを特徴とするものであるので、室内の条件に応じて効率的に室内の空調を行う室内ユニットを得ることが可能となる。
【００４３】
第３の発明に係る空気調和機の室内ユニットは、第２の発明に係る空気調和機の室内ユニットにおいて、前記第１、第２及び第３の吸入口と前記第１及び第２の吹き出し口は前記空気調和機の室内ユニットの同一側面に並列に設けられ、前記第１の吸入口は、前記第１の吹き出し口と第２の吹き出し口の間に設けられ、前記第２の吸入口は、前記第１の吸入口と第２の吹き出し口の間に設けられ、前記第３の吸入口は、前記第１の吸入口と第１の吹き出し口の間に設けられたことを特徴とするものであるので、室内の条件に応じて効率的に室内の空調を行う室内ユニットを得ることが可能となる。
【００４４】
第４の発明に係る空気調和機の室内ユニットは、第２もしくは第３の発明に係る空気調和機の室内ユニットにおいて、前記第１の熱交換部は第４及び第５の熱交換部を有し、前記第１及び第２のファンは横流ファンであり、前記第２の熱交換部は、前記第２の吸入口に近い吸入口側端部と、その反対側で前記第２の吸入口から遠い反対側端部を有し、前記第３の熱交換部は、前記第３の吸入口に近い吸入口側端部と、その反対側で前記第３の吸入口から遠い反対側端部を有し、前記第４の熱交換部は、前記第１の吸入口に近い吸入口側端部と、その反対側で前記第１の吸入口から遠い反対側端部を有し、前記第５の熱交換部は、前記第１の吸入口に近い吸入口側端部と、その反対側で前記第１の吸入口から遠い反対側端部を有し、前記第３の熱交換部の吸入口側端部と前記第４の熱交換部の吸入口側端部との距離は、前記第３の熱交換部の反対側端部と前記第４の熱交換部の反対側端部との距離よりも小さく、前記第２の熱交換部の吸入口側端部と前記第５の熱交換部の吸入口側端部との距離は、前記第２の熱交換部の反対側端部と前記第５の熱交換部の反対側端部との距離よりも小さいことを特徴とするものであるので、特に、大きな熱交換面積、吸込面積を得つつ、小型化を図れる空気調和機の室内ユニットを得ることが可能となる。。
【００４５】
第５の発明に係る空気調和機の室内ユニットは、第１、第２、第３又は第４の発明に係る空気調和機の室内ユニットにおいて、前記第１の吹き出し口より吹き出される風量と前記第２の吹き出し口より吹き出される風量とは異なることを特徴とするものであるので、特に、部屋の温度むらを少なくすることができる空気調和機の室内ユニットを得ることが可能となる。
【００４６】
第６の発明に係る空気調和機の室内ユニットは、前記第５の発明に係る空気調和機の室内ユニットにおいて、前記第１のファンの径と前記第２のファンの径とは異なることを特徴とするものであるので、特に、部屋の温度むらを少なくすることができる空気調和機の室内ユニットを得ることが可能となるので、特に、部屋の温度むらを少なくすることができる空気調和機の室内ユニットを得ることが可能となる。
【００４７】
第７の発明に係る空気調和機の室内ユニットは、第２、第３、第４、第５又は第６の発明に係る空気調和機の室内ユニットにおいて、前記第１の熱交換部は第４及び第５の熱交換部を有し、前記第１のファンは、前記第４の熱交換部により熱交換された空気を前記第１の吹き出し口に送り、前記第２のファンは、前記第５の熱交換部により熱交換された空気を前記第２の吹き出し口に送り、前記第３及び第４の熱交換部の熱交換面積の和は、前記第２及び第５の熱交換部の熱交換面積の和とは異なることを特徴とするものであるので、特に、部屋の温度むらを少なくすることができる空気調和機の室内ユニットを得ることが可能となる。
【００４８】
第８の発明に係る空気調和機の室内ユニットは、第１、第２、第３、第４、第５、第６又は第７の発明に係る空気調和機の室内ユニットにおいて、前記空気調和機の室内ユニットは、第１の風路と当該第１の風路とは異なる第２の風路を有し、前記第１の吸入口から吸入された空気は、前記第１の風路を通って前記第１のファンに送られ、前記第２の風路を通って前記第２のファンに送られることを特徴とするものであるので、特に、空気調和機の室内ユニットの静音化を向上させることが可能となる。
【図面の簡単な説明】
【図１】  この発明における天井埋込型空気調和機の室内ユニットの実施の形態１を示す断面図である。
【図２】  この発明における天井埋込型空気調和機の室内ユニットの実施の形態２を示す断面図である。
【図３】  この発明における天井埋込型空気調和機の室内ユニットの実施の形態３を示す断面図である。
【図４】  この発明における天井埋込型空気調和機の室内ユニットの実施の形態５を示す断面図である。
【図５】  この発明における天井埋込型空気調和機の室内ユニットの実施の形態６を示す断面図である。
【図６】  この発明における天井埋込型空気調和機の室内ユニットの実施の形態７を示す断面図である。
【図７】  この発明における天井埋込型空気調和機の室内ユニットの実施の形態７を示す断面図である。
【図８】  従来の天井埋込型空気調和機の室内ユニットの断面図である。
【符号の説明】
１  外殻部材、２、３、４、５  熱交換器、６、７  横流ファン、８、９  スタビライザー、１０、１１  ドレンパン、１２、１３、１４  吸入口、１５、１６  吹き出し口、１７、１８、１９、２３、２４  吸込風路、２０、２１  吹出風路、２２、２３  仕切板、３５、３７、３９、４１ 吸入口側端部、３６、３８、４０、４２  反対側端部
【図１】
0003991477.tif 000002
【図２】
0003991477.tif 000003
【図３】
0003991477.tif 000004
【図４】
0003991477.tif 000005
【図５】
0003991477.tif 000006
【図６】
0003991477.tif 000007
【図７】
0003991477.tif 000008
【図８】
0003991477.tif 000009